(57)【要約】【課題】組み立てが容易で、しかも、分解可能で持ち運びも容易な簡易多機能槽を提供する。【解決手段】底板部１１とその周囲に分割して立設された分割側板部１２〜１５とを有する簡易多機能槽１０において、底板部１１及び分割側板部１２〜１５は、防水性及び屈曲性を有するシートからなり、しかも、それぞれの分割側板部１２〜１５は、側方、上方又は下方に開口１６〜２０、２４を有する偏平筒状物１２ａ〜１４ａ、２５からなって、平板保持部材１２ｂ〜１４ｂ、２６が開口１６〜２０、２４から偏平筒状物１２ａ〜１４ａ、２５に取り外し可能に収納されている。【選択図】図１
2018149202.tif 000002
【特許請求の範囲】
【請求項１】
底板部とその周囲に分割して立設された分割側板部とを有する簡易多機能槽において、
前記底板部及び前記分割側板部は、防水性及び屈曲性を有するシートからなり、しかも、それぞれの前記分割側板部は、側方、上方又は下方に開口を有する偏平筒状物からなって、平板保持部材が前記開口から前記偏平筒状物に取り外し可能に収納されていることを特徴とする簡易多機能槽。
【請求項２】
請求項１記載の簡易多機能槽において、隣り合う前記分割側板部を連結補強する補強部材が設けられていることを特徴とする簡易多機能槽。
【請求項３】
請求項１又は２記載の簡易多機能槽において、前記底板部は四角形又は多角形状となっていることを特徴とする簡易多機能槽。
【請求項４】
請求項３記載の簡易多機能槽において、前記底板部と前記分割側板部、及び隣り合う前記分割側板部は、接着、縫合又は防水ファスナーで接合されていることを特徴とする簡易多機能槽。
【請求項５】
底板部とその周囲に分割して立設され、前記底板部の一方側が開放となった分割側板部とを有する簡易多機能槽において、
樋状となった前記底板部の開放端部及び前記分割側板部の開放端部を折り曲げて前記底板部の開放端部を立設させ、前記分割側板部の開放端部の折り込みによって発生した三角帯を隣接する前記分割側板部に重ね合わせることによって側板部が形成され、
しかも前記分割側板部及び前記側板部は開口付きの偏平筒状部からなって、内部に該簡易多機能槽の形状を保つ平板保持部材がそれぞれ収納されていることを特徴とする簡易多機能槽。
【請求項６】
請求項１〜５のいずれか１項に記載の簡易多機能槽において、対向する前記分割側板部の開きを防止する固定ベルトが取り外し可能に設けられていることを特徴とする簡易多機能槽。
【請求項７】
請求項１〜６のいずれか１項に記載の簡易多機能槽において、いずれか１の前記分割側板部の下部に、吸い込み口が前記底板部に近接又は当接するサイフォン式の排水手段を有していることを特徴とする簡易多機能槽。
【請求項８】
請求項１〜７のいずれか１項に記載の簡易多機能槽において、前記偏平筒状物に挿入される前記平板保持部材の挿入長さを調整することによって、該簡易多機能槽の大きさを調整することを特徴とする簡易多機能槽。
【発明の詳細な説明】
【技術分野】
【０００１】
本発明は、例えば、浴槽として使用でき、使用場所で簡単に組み立てることができる簡易多機能槽に関する。
【背景技術】
【０００２】
従来、病院等における患者や要介護者の入浴に用いる浴槽として、特許文献1 には底部材が合成樹脂シートと合成樹脂シートに挟持される硬質板等の芯材から構成され、側板部材が合成樹脂シートと合成樹脂シートに挟持されるベニア板等の芯材から構成される組立式浴槽が提案されている。また、特許文献2 には、防水シート内に芯材を入れて折り畳み式にし、組み立て時は四隅を三角形に整形してマジックテープ（登録商標）で固定する多目的簡易浴槽が記載されている。
【先行技術文献】
【特許文献】
【０００３】
【特許文献１】実公昭６３−１１９５０号公報
【特許文献２】特開２００３−９３４６９号公報
【発明の概要】
【発明が解決しようとする課題】
【０００４】
しかしながら、特許文献１記載の組立式浴槽では、底部材及び側板部材が合成樹脂シートと板状の芯材が一体となって構成されているので、折り畳んでも嵩張って重量物となり、更に組み立て作業及び収納作業も手間がかかるという問題があった。
また、特許文献２記載の多目的簡易浴槽にあっては、コ字状の保持パイプで組み立てたシートを保持しているので、収納時に邪魔になるという問題があった。
更には、特許文献１、２の浴槽においては、使用後の排水を流すことについては考慮されていないという問題があった。
【０００５】
本発明はかかる事情に鑑みてなされたもので、組み立てが容易で、しかも、分解可能で持ち運びも容易な簡易多機能槽を提供することを目的とする。
【課題を解決するための手段】
【０００６】
前記目的に沿う第１の発明に係る簡易多機能槽は、底板部とその周囲に分割して立設された分割側板部とを有する簡易多機能槽において、
前記底板部及び前記分割側板部は、防水性及び屈曲性を有するシートからなり、しかも、それぞれの前記分割側板部は、側方、上方又は下方に開口を有する偏平筒状物（袋状物を含む）からなって、平板保持部材が前記開口から前記偏平筒状物に取り外し可能に収納されている。
ここで、底板部の形状は、円形、三角形、四角形、五角形以上の多角形がある。平板保持部材は、ベニア、木材、プラスチック板、耐水性ダンポール材のいずれも使用できる（以下の発明においても同じ）。
【０００７】
また、第２の発明に係る簡易多機能槽は、第１の発明に係る簡易多機能槽において、隣り合う前記分割側板部を連結補強する補強部材が設けられている。これによって、隣り合う分割側板部の連結が強くなる。
【０００８】
第３の発明に係る簡易多機能槽は、第１、第２の発明に係る簡易多機能槽において、前記底板部は、四角形又は多角形状、例えば長方形又は中央が拡幅する長板形状となっている。前記分割側板部は対向する第１、第２の長尺板部と、対向する第１、第２の短尺板部からなっていてもよい。ここで、底板部の中央が拡幅する場合は、底板部の形状を使用者の体形に合わせることができ、単に底板部が長方形の場合に比較して水の使用量が減る。
【０００９】
そして、第４の発明に係る簡易多機能槽は、第１〜第３の発明に係る簡易多機能槽において、前記底板部と前記分割側板部、及び隣り合う前記分割側板部は、接着、縫合又は防水ファスナーで接合されている
【００１０】
また、前記第１、第２の長尺板部の偏平筒状物の開口は側方を向いており、前記第１の短尺板部の偏平筒状物の開口は側方を向いており、前記第２の短尺板部の偏平筒状物の開口は上方を向けることも可能である。偏平筒状物の開口を側方に向ける場合は、偏平筒状物内に水が溜まり難く、更に、開口が不用意に開くことがない。偏平筒状物の開口を上に向ける場合は、平板保持部材の挿入が容易となるが、水が偏平筒状物（袋）内に溜まり易くなる。下部に排水管等が取り付けられている場合は、平板保持部材の一部を切り抜くことによって挿入が簡単となる。
【００１１】
第５の発明に係る簡易多機能槽は、底板部とその周囲に分割して立設され、前記底板部の一方側が開放となった分割側板部とを有する簡易多機能槽において、
樋状となった前記底板部の開放端部及び前記分割側板部の開放端部を折り曲げて前記底板部の開放端部を立設させ、前記分割側板部の開放端部の折り込みによって発生した三角帯を隣接する前記分割側板部に重ね合わせることによって側板部が形成され、
しかも前記分割側板部及び前記側板部は開口付きの偏平筒状部からなって、内部に該簡易多機能槽の形状を保つ平板保持部材がそれぞれ収納されている。
【００１２】
なお、底板部とその周囲に分割して立設された分割側板部とを有する簡易多機能槽において、
前記底板部は長方形又は中央が拡幅する長板形状となって、前記分割側板部は、前記底板部の長手方向に沿ってかつ対向して配置された第１、第２の長尺板部と、前記底板部の長手方向一側に設けられ前記第１、第２の長尺板部の長手方向一側の端部とそれぞれの端部が接合される第１の短尺板部とを有し、
前記底板部、前記第１、第２の長尺板部及び第１の短尺板部は、防水性及び屈曲性を有するシートからなって、
前記底板部、及び前記第１、第２の長尺板部の長手方向他側を折り曲げて、前記底板部の他側に設けられた第２の短尺板部とし、かつ、前記第１、第２の長尺板部及び前記第１、第２の短尺板部には、この簡易多機能槽の形状を保つ平板保持部材を出し入れ可能に収納する開口付きの偏平筒状部が設けることもできる。
第５の発明に係る簡易多機能槽において、側板部（第２の短尺板部）を組み立て状態から展開した場合、槽内の水の排出が簡単に行え、屋外での使用に適した簡易多機能槽とすることもできる。
【００１３】
第６の発明に係る簡易多機能槽は、第１〜第５の発明に係る簡易多機能槽において、対向する前記分割側板部（第１、第２の長尺板部）の開きを防止する固定ベルトが取り外し可能に設けられている。
【００１４】
なお、第１〜第６の発明に係る簡易多機能槽において、対向する前記分割側板部（第１、第２の長尺板部）の上部には該分割側板部の開きを防止する補強バンドを設けることもできる。これにより、簡易多機能槽の補強を図ることができる。
【００１５】
第７の発明に係る簡易多機能槽は、第１〜第６の発明に係る簡易多機能槽において、前記分割側板部（例えば、第２の短尺板部）の下部に、吸い込み口が前記底板部に近接又は当接するサイフォン式の排水手段を有している。これによって、簡易多機能槽を傾けなくてもより完全な排水ができる。
【００１６】
そして、第８の発明に係る簡易多機能槽は、第１〜第７の発明に係る簡易多機能槽において、前記偏平筒状物に挿入される前記平板保持部材の挿入長さを調整することによって、該簡易多機能槽の大きさを調整する。
これによって、使用する人の身長に合わせて槽の長さにでき、更に、自由に簡易多機能槽の長さを調整できる。
【発明の効果】
【００１７】
本発明に係る簡易多機能槽は、底板部の周囲に立設される分割側板部がそれぞれ偏平の筒状となって、この偏平筒状物には開口があって、この開口から偏平筒状物内に簡易多機能槽の形状を保つ平板保持部材が収納可能となっているので、組み立てが容易である。また、分割側板部から平板保持部材を除去すると、シート状の部分（以下、「槽本体」という）のみが残るので、コンパクトに収納できる。
【図面の簡単な説明】
【００１８】
【図１】本発明の第１の実施の形態に係る簡易多機能槽の組み立て説明図である。
【図２】同簡易多機能槽の組み立て説明図である。
【図３】（Ａ）は図１における矢視Ａ−Ａ断面図、（Ｂ）は図１における矢視Ｂ−Ｂ断面図である。
【図４】排水手段の説明図である。
【図５】本発明の第２の実施の形態に係る簡易多機能槽の説明図である。
【図６】同簡易多機能槽の組み立て完成図である。
【図７】同簡易多機能槽の組み立て説明図である。
【図８】（Ａ）は図６における矢視Ｃ−Ｃ断面図、（Ｂ）は図６における矢視Ｄ−Ｄ断面図である。
【発明を実施するための形態】
【００１９】
続いて、添付した図面を参照して本発明を具体化した実施の形態について説明する。
図１〜図３に示すように、本発明の一実施の形態に係る簡易多機能槽１０は、底板部１１と、その周囲に分割して立設され、それぞれ分割側板部の一例であって、対向する第１、第２の長尺板部１２、１３と、対向する第１、第２の短尺板部１４、１５とを有する。この実施の形態では底板部は、長手方向両側から中央に徐々に拡幅する六角形状（多角形状の一例）をしているが、長方形（四角形）又はその他の多角形、円形であってもよい。なお、この簡易多機能槽１０の長手方向の長さは１０００〜１９０００ｍｍ、長手方向に直交する幅は５００〜７００ｍｍ、高さは３５０〜５００ｍｍであるが、本発明はこの数字に限定されない。
【００２０】
図３（Ａ）に示すように、第１、第２の長尺板部１２、１３、及び第１の短尺板部１４は、軸心が水平方向を向いた偏平筒状物１２ａ〜１４ａからなって、この偏平筒状物１２ａ〜１４ａは双方向（又は一方）、即ち側方に開口１６〜２０を有し、第１、第２の長尺板部１２、１３の中間部に、仕切り２１、２２を有している。これら偏平筒状物１２ａ〜１４ａの内部には、偏平筒状物１２ａ〜１４ａの内部空間より形状が少し小さい平板保持部材１２ｂ〜１４ｂが開口１６〜２０より出し入れ自在に収納されている。なお、偏平筒状物１２ａ、１３ａは中央で仕切られているので、平板保持部材１２ｂ、１３ｂは偏平筒状物１２ａ、１３ａを略２分割して収納される。偏平筒状物１２ａ〜１４ａの開口１６〜２０にファスナー（ジッパー、面状ファスナー、ホック等）を設けることは自由である。
【００２１】
また、第２の短尺板部１５は図３（Ｂ）に示すように、軸芯が鉛直方向を向いて、上側に開口２４を有する偏平筒状物２５からなって、その両側部が第１、第２の長尺板部１２、１３の長手方向一端側に接合されている。第２の短尺板部１５内には、平板保持部材２６が収納されている。開口２４の方向を除いて、偏平筒状物２５の材質及び構造は第１の短尺板部１４の偏平筒状物１４ａと同一となっている。
この第２の短尺板部１５の下部の取付け口２７には図１に示すように、排水器具２８が設けられている。排水器具２８は中間にストップバルブ２９を有し、ホース３０によって外部に排水できる構造となっている。なお、平板保持部材２６の下部には、取付け口２７を避ける切欠き２６ａが設けられている。
【００２２】
底板部１１、第１、第２の長尺板部１２、１３、第１、第２の短尺板部１４、１５はそれぞれ端部同士が強固に接合されているが、内部に水を入れた場合の強度が十分でないので、補強部材３１〜３８を有している。これらは、面ファスナーを用いて、隣り合う第１、第２の長尺板部１２、１３と第１、第２の短尺板部１４、１５との間を連結している。
【００２３】
また、簡易多機能槽１０内に水（お湯）を入れると、第１、第２の長尺板部１２、１３が上側から開くので、第１、第２の長尺板部１２、１３の上側を拘束ベルト（固定ベルトの一例）３９、４０で保持することもできる。これらの拘束ベルト３９、４０は両端部が面ファスナーを用いて、第１、第２の長尺板部１２、１３に取り外し可能に固定される。
更には、第１、第２の長尺板部１２、１３の上部に、これらの開きを防止するための、ホース止めバンド（補強バンドの一例）４１を、第２の短尺板部１５の上部に開口２４を閉塞する閉塞バント４３、４４を設けることも自由である。
【００２４】
なお、底板部１１及び偏平筒状物１２ａ〜１４ａ、２５は、防水性及び屈曲性を有するシートからなり、具体的には、底板部１１には厚みが５〜１０ｍｍのクロロプレンゴム（多数の独立気泡を有するのがよい、以下同じ）が使用され、偏平筒状物１２ａ〜１４ａ、２５には内層に５〜１０ｍｍ厚のクロロプレンゴムが外層に０．５〜５ｍｍの布が使用され、内部が空間となっている。底板部１１及び第１、第２の長尺板部１２、１３、第１、第２の短尺板部１４、１５の接合は接着剤と必要に応じて縫合又は防水ファスナーによって行われ、簡易多機能槽１０の水漏れを防止している。
また、底板部１１と、第１、第２の長尺板部１２、１３、第１、第２の短尺板部１４、１５とは、偏平筒状物１２ａ〜１４ａ、２５の内側部材（厚板材）で密着接合され、それぞれの外側に筒状物を構成する外側部材（薄板材）が接合（連結）されている。
【００２５】
従って、この簡易多機能槽１０を使用する場合は、ロール状に巻いた、又は適当サイズに折り畳まれた槽本体と、平板保持部材１２ｂ〜１４ｂ、２６を用意し、使用者を底板部１１の中央に寝かせて、第１、第２の長尺板部１２、１３、第１、第２の短尺板部１４、１５を底板部１１の周囲に立設し、偏平筒状部１２ａ〜１４ａ内に横から、偏平筒状部２５内に上から、平板保持部材１２ｂ〜１４ｂ、２６を挿入する。これによって、簡易多機能槽１０の形状が保たれる。
次に、排水器具２８のストップバルブ２９を閉じて、内部に必要なお湯を入れる。お湯を簡易多機能槽１０から抜く場合は、ストップバルブ２９を開いてホース３０から排水することになる。
【００２６】
第１、第２の長尺板部１２、１３、及び第１、第２の短尺板部１４、１５内に収納され、簡易多機能槽１０の形状を保つ平板保持部材１２ｂ〜１４ｂ、２６は、それぞれ第１、第２の長尺板部１２、１３、及び第１、第２の短尺板部１４、１５の偏平筒状物１２ａ〜１４ａ、２５の内寸より少し縦横の寸法が短く、厚さが薄くなるように形成されている。平板保持部材１２ｂ〜１４ｂ、２６の材質としては、厚みが２〜１０ｍｍの耐水性ダンボール材が好適に用いられるが、同程度の厚みのベニアやプラスチック板を用いてもよい。また、平板保持部材２６の材質は耐水性ダンボール材でもよいが、第２の短尺板部１５に排水器具２８の取付け口２７が設けられることを考慮してプラスチック板を用いることが好ましい。
【００２７】
次に、排水手段について説明する。
図４に示すように、排水器具２８の代わりに使用されるサイフォン式の排水手段４５を用いることもできる。排水手段４５は、第２の短尺板部１５の取付け口２７を貫通して設けられた逆Ｕ字状の排水管４６を有している。排水管４６の一端部は、簡易多機能槽１０の内部で底板部１１の上面に近接又は当接するように配置され、その外周に複数の吸い込み口４７が形成されている。また、排水管４６の他端側の排水口４８の高さは底板部１１の上面よりも低く設置されている。これにより、簡易多機能槽を傾けなくても内部に溜められたほとんどの水（お湯）をサイフォンの原理で外部に排出することができる。なお、符号４９は取付け口２７の一部であって排水管４６の外周から水が漏れるのを防止するためのパッキン等を備えた固定フランジである。
【００２８】
次に、本発明の第２の実施の形態に係る簡易多機能槽５０について説明する。
なお、第１の実施の形態に係る簡易多機能槽１０と同様の構成部材には同一の符号を付して説明は省略する。
図５〜図７に示すように、本発明の第２の実施の形態に係る簡易多機能槽５０は、底板部５１と、その長手方向に沿って対向して立設された第１、第２の長尺板部５２、５３（分割側板部の一例）と、底板部５１の長手方向一側に設けられ第１、第２の長尺板部５２、５３それぞれの一側端部にその両端部が接合された第１の短尺板部５４（分割側板部の一例）とを有する。そして、底板部５１、及び第１、第２の長尺板部５２，５３の長手方向他側は開放となって、樋状となった延設部５５（底板部５１の開放端部）、延設部５６、５７（分割側板部の開放端部）を折り曲げることにより、底板部５１の他側に第１の短尺板部５４と対向する第２の短尺板部５８（側板部）を形成することができる。具体的には、延設部５５を立設させ、延設部５６、５７を折り込んで発生した三角帯を隣接する第１の長尺板部５２及び第２の長尺板部５３にそれぞれ重ね合わせる。
なお、この簡易多機能槽５０の形状や寸法は第１の実施の形態に係る簡易多機能槽１０と同様であるが、これに限定されない。
【００２９】
第１、第２の長尺板部５２、５３、及び第１の短尺板部５４は、図８（Ａ）に示すように、簡易多機能槽１０と同様の偏平筒状物５２ａ〜５４ａからなり、その内部に簡易多機能槽１０の平板保持部材１２ｂ〜１４ｂと同様の平板保持部材５２ｂ〜５４ｂが開口１６〜２０より出し入れ自在に収納されている。
また、第２の短尺板部５８は、図８（Ｂ）に示すように、簡易多機能槽１０と同様に、上側に開口５９を有する偏平筒状物６０からなっており、第２の短尺板部５８内には、平板保持部材５２ｂ〜５４ｂと同様の平板保持部材６１が収納されている。図５において、５９ａ〜５９ｅは折り曲げ線である。
【００３０】
平板保持部材６１の下部には、簡易多機能槽１０の平板保持部材２６と同様に切欠き６２が設けられており、第２の短尺板部５８の下部に設けた取付け口６３を利用して、簡易多機能槽１０と同様の排水器具２８（又は排水手段４５）を取付けることができる。
なお、第２の短尺板部５８を組み立て状態から展開すれば、槽内の水を簡単に排出することができるので、屋外で好適に使用することができ、その場合、取付け口６３は省略できる。また、屋外で使用する場合は、排水器具２８を取付ける代わりに、取付け口６３に栓をしてもよい。
なお、その他の構造や使用方法は第１の実施の形態と同様なので、説明を省略する。
【００３１】
第１、第２の実施の形態に係る簡易多機能槽において、偏平筒状物の開口を側方、上方、又は下方に設け、挿入する平板保持部材の挿入長さを変えることによって、簡易多機能槽の長さ又は幅を変えることができる。
【符号の説明】
【００３２】
１０：簡易多機能槽、１１：底板部、１２：第１の長尺板部、１３：第２の長尺板部、１４：第１の短尺板部、１２ａ〜１４ａ：偏平筒状物、１２ｂ〜１４ｂ：平板保持部材、１５：第２の短尺板部、１６〜２０：開口、２１、２２：仕切り、２４：開口、２５：偏平筒状物、２６：平板保持部材、２６ａ：切欠き、２７：取付け口、２８：排水器具、２９：ストップバルブ、３０：ホース、３１〜３８：補強部材、３９、４０：拘束ベルト、４１：ホース止めバンド、４３、４４：閉塞バンド、４５：排水手段、４６：排水管、４７：吸い込み口、４８：排水口、４９：固定フランジ、５０：簡易多機能槽、５１：底板部、５２：第１の長尺板部、５３：第２の長尺板部、５４：第１の短尺板部、５２ａ〜５４ａ：偏平筒状物、５２ｂ〜５４ｂ：平板保持部材、５５〜５７：延設部、５８：第２の短尺板部、５９：開口、５９ａ〜５９ｅ：折り曲げ線、６０：偏平筒状物、６１：平板保持部材、６２：切欠き、６３：取付け口
【図１】
2018149202.tif 000003
【図２】
2018149202.tif 000004
【図３】
2018149202.tif 000005
【図４】
2018149202.tif 000006
【図５】
2018149202.tif 000007
【図６】
2018149202.tif 000008
【図７】
2018149202.tif 000009
【図８】
2018149202.tif 000010
【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
底板部と、該底板部の周囲に連結され、該底板部の長手方向に沿って対向して立設された第１、第２の長尺板部と、前記底板部の長手方向一側及び他側にあって、前記底板部と前記第１、第２の長尺板部の端部同士を連結する第１、第２の短尺板部とを有し、防水性及び屈曲性を有するシートを用いた簡易多機能槽において、
前記底板部は長手方向両側から中央に徐々に拡幅する六角形状となって、
前記第１、第２の長尺板部及び前記第１の短尺板部は偏平筒状物となって側方に開口を有して、内部に平板保持部材が該開口から出し入れ自在に収納され、前記第２の短尺板部は上方に開口を有して内部に別の平板保持部材が出し入れ自在に収納され、該簡易多機能槽の形状を保ち、しかも、前記第２の短尺板部の下部には、排水器具の取付け口が形成され、前記別の平板保持部材の下部には、前記取付け口を避ける切欠きが設けられていることを特徴とする簡易多機能槽。
【請求項２】
底板部と、該底板部の周囲に連結され、該底板部の長手方向に沿って対向して立設された第１、第２の長尺板部と、前記底板部の長手方向一側及び他側にあって、前記底板部と前記第１、第２の長尺板部の端部同士を連結する第１、第２の短尺板部とを有し、防水性及び屈曲性を有するシートを用いた簡易多機能槽において、
前記第２の短尺板部は、前記底板部、及び前記第１、第２の長尺板部の長手方向他側に設けられた樋状の延設部を折り曲げ立設することによって形成され、
前記底板部は長手方向両側から中央に徐々に拡幅する長板形状となって、
前記第１、第２の長尺板部及び前記第１の短尺板部は偏平筒状物となって側方に開口を有して、内部に平板保持部材が該開口から出し入れ自在に収納され、前記第２の短尺板部は上方に開口を有すると共に、内部に別の平板保持部材が出し入れ自在に収納され、該簡易多機能槽の形状を保ち、しかも、前記第２の短尺板部の下部には、排水器具の取付け口が形成され、前記別の平板保持部材の下部には、前記取付け口を避ける切欠きが設けられていることを特徴とする簡易多機能槽。
【請求項３】
請求項1又は２記載の簡易多機能槽において、１）隣り合う前記第１の短尺板部と前記第１、第２の長尺板部とを、並びに２）隣り合う前記第２の短尺板部と前記第１、第２の長尺板部とをそれぞれ連結補強する面ファスナーを用いた補強部材が設けられていることを特徴とする簡易多機能槽。
【請求項４】
請求項１〜３のいずれか１項に記載の簡易多機能槽において、対向する前記第１、第２の長尺板部の開きを防止する固定ベルトが取り外し可能に設けられていることを特徴とする簡易多機能槽。
【請求項５】
請求項１〜４のいずれか１項に記載の簡易多機能槽において、前記排水器具の代わりに、吸い込み口が前記底板部に近接又は当接するサイフォン式の排水手段を用いていることを特徴とする簡易多機能槽。
【手続補正２】
【補正対象書類名】明細書
【補正対象項目名】全文
【補正方法】変更
【補正の内容】
【発明の詳細な説明】
【技術分野】
【０００１】
本発明は、例えば、浴槽として使用でき、使用場所で簡単に組み立てることができる簡易多機能槽に関する。
【背景技術】
【０００２】
従来、病院等における患者や要介護者の入浴に用いる浴槽として、特許文献1 には底部材が合成樹脂シートと合成樹脂シートに挟持される硬質板等の芯材から構成され、側板部材が合成樹脂シートと合成樹脂シートに挟持されるベニア板等の芯材から構成される組立式浴槽が提案されている。また、特許文献2 には、防水シート内に芯材を入れて折り畳み式にし、組み立て時は四隅を三角形に整形してマジックテープ（登録商標）で固定する多目的簡易浴槽が記載されている。
【先行技術文献】
【特許文献】
【０００３】
【特許文献１】実公昭６３−１１９５０号公報
【特許文献２】特開２００３−９３４６９号公報
【発明の概要】
【発明が解決しようとする課題】
【０００４】
しかしながら、特許文献１記載の組立式浴槽では、底部材及び側板部材が合成樹脂シートと板状の芯材が一体となって構成されているので、折り畳んでも嵩張って重量物となり、更に組み立て作業及び収納作業も手間がかかるという問題があった。
また、特許文献２記載の多目的簡易浴槽にあっては、コ字状の保持パイプで組み立てたシートを保持しているので、収納時に邪魔になるという問題があった。
更には、特許文献１、２の浴槽においては、使用後の排水を流すことについては考慮されていないという問題があった。
【０００５】
本発明はかかる事情に鑑みてなされたもので、組み立てが容易で、しかも、分解可能で持ち運びも容易な簡易多機能槽を提供することを目的とする。
【課題を解決するための手段】
【０００６】
前記目的に沿う第１の発明に係る簡易多機能槽は、底板部と、該底板部の周囲に連結され、該底板部の長手方向に沿って対向して立設された第１、第２の長尺板部と、前記底板部の長手方向一側及び他側にあって、前記底板部と前記第１、第２の長尺板部の端部同士を連結する第１、第２の短尺板部とを有し、防水性及び屈曲性を有するシートを用いた簡易多機能槽において、
前記底板部は長手方向両側から中央に徐々に拡幅する六角形状となって、
前記第１、第２の長尺板部及び前記第１の短尺板部は偏平筒状物となって側方に開口を有して、内部に平板保持部材が該開口から出し入れ自在に収納され、前記第２の短尺板部は上方に開口を有して内部に別の平板保持部材が出し入れ自在に収納され、該簡易多機能槽の形状を保ち、しかも、前記第２の短尺板部の下部には、排水器具の取付け口が形成され、前記別の平板保持部材の下部には、前記取付け口を避ける切欠きが設けられている。
前記目的に沿う第２の発明に係る簡易多機能槽は、底板部と、該底板部の周囲に連結され、該底板部の長手方向に沿って対向して立設された第１、第２の長尺板部と、前記底板部の長手方向一側及び他側にあって、前記底板部と前記第１、第２の長尺板部の端部同士を連結する第１、第２の短尺板部とを有し、防水性及び屈曲性を有するシートを用いた簡易多機能槽において、
前記第２の短尺板部は、前記底板部、及び前記第１、第２の長尺板部の長手方向他側に設けられた樋状の延設部を折り曲げ立設することによって形成され、
前記底板部は長手方向両側から中央に徐々に拡幅する長板形状となって、
前記第１、第２の長尺板部及び前記第１の短尺板部は偏平筒状物となって側方に開口を有して、内部に平板保持部材が該開口から出し入れ自在に収納され、前記第２の短尺板部は上方に開口を有すると共に、内部に別の平板保持部材が出し入れ自在に収納され、該簡易多機能槽の形状を保ち、しかも、前記第２の短尺板部の下部には、排水器具の取付け口が形成され、前記別の平板保持部材の下部には、前記取付け口を避ける切欠きが設けられている。
ここで、平板保持部材は、ベニア、木材、プラスチック板、耐水性ダンポール材のいずれも使用できる（以下の発明においても同じ）。
【０００７】
また、第３の発明に係る簡易多機能槽は、第１、第２の発明に係る簡易多機能槽において、１）隣り合う前記第１の短尺部材と前記第１、第２の長尺部材とを、並びに２）隣り合う前記第２の短尺部材と前記第１、第２の長尺部材とをそれぞれ連結補強する面ファスナーを用いた補強部材が設けられている。これによって、隣り合う第１の短尺部材と第１、第２の長尺部材、並びに２）隣り合う第２の短尺部材と第１、第２の長尺部材の連結が強くなる。
【０００８】
【０００９】
【００１０】
また、前記第１、第２の長尺板部の偏平筒状物の開口は側方を向いており、前記第１の短尺板部の偏平筒状物の開口は側方を向いており、前記第２の短尺板部の偏平筒状物の開口は上方を向いている。偏平筒状物の開口を側方に向ける場合は、偏平筒状物内に水が溜まり難く、更に、開口が不用意に開くことがない。偏平筒状物の開口を上に向ける場合は、平板保持部材の挿入が容易となるが、水が偏平筒状物（袋）内に溜まり易くなる。下部に排水管等が取り付けられている場合は、平板保持部材の一部を切り抜くことによって挿入が簡単となる。
【００１１】
【００１２】
なお、底板部とその周囲に分割して立設された分割側板部とを有する簡易多機能槽において、
前記底板部は長方形又は中央が拡幅する長板形状となって、前記分割側板部は、前記底板部の長手方向に沿ってかつ対向して配置された第１、第２の長尺板部と、前記底板部の長手方向一側に設けられ前記第１、第２の長尺板部の長手方向一側の端部とそれぞれの端部が接合される第１の短尺板部とを有し、
前記底板部、前記第１、第２の長尺板部及び第１の短尺板部は、防水性及び屈曲性を有するシートからなって、
前記底板部、及び前記第１、第２の長尺板部の長手方向他側を折り曲げて、前記底板部の他側に設けられた第２の短尺板部とし、かつ、前記第１、第２の長尺板部及び前記第１、第２の短尺板部には、この簡易多機能槽の形状を保つ平板保持部材を出し入れ可能に収納する開口付きの偏平筒状部が設けることもできる。
第２の発明に係る簡易多機能槽において、第２の短尺板部を組み立て状態から展開した場合、槽内の水の排出が簡単に行え、屋外での使用に適した簡易多機能槽とすることもできる。
【００１３】
第４の発明に係る簡易多機能槽は、第１〜第３の発明に係る簡易多機能槽において、対向する前記第１、第２の長尺板部の開きを防止する固定ベルトが取り外し可能に設けられている。
【００１４】
なお、第１〜第４の発明に係る簡易多機能槽において、対向する前記第１、第２の長尺板部の上部には該第１、第２の長尺板部の開きを防止する補強バンドを設けることもできる。これにより、簡易多機能槽の補強を図ることができる。
【００１５】
第５の発明に係る簡易多機能槽は、第１〜第４の発明に係る簡易多機能槽において、前記排水器具の代わりに、吸い込み口が前記底板部に近接又は当接するサイフォン式の排水手段を用いている。これによって、簡易多機能槽を傾けなくてもより完全な排水ができる。
【００１６】
【発明の効果】
【００１７】
本発明に係る簡易多機能槽は、底板部の周囲に立設される第１、第２の長尺板部と第１、第２の短尺板部がそれぞれ偏平の筒状となって、かつ、第１、第２の長尺板部と第１の短尺板部を構成する偏平筒状物には側方に開口があり、第２の短尺板部を構成する偏平筒状物には上方に開口があって、これら開口から偏平筒状物内に簡易多機能槽の形状を保つ平板保持部材が収納可能となっているので、組み立てが容易である。また、第１、第２の長尺板部と第１、第２の短尺板部から平板保持部材を除去すると、シート状の部分（以下、「槽本体」という）のみが残るので、コンパクトに収納できる。
【図面の簡単な説明】
【００１８】
【図１】本発明の第１の実施の形態に係る簡易多機能槽の組み立て説明図である。
【図２】同簡易多機能槽の組み立て説明図である。
【図３】（Ａ）は図１における矢視Ａ−Ａ断面図、（Ｂ）は図１における矢視Ｂ−Ｂ断面図である。
【図４】排水手段の説明図である。
【図５】本発明の第２の実施の形態に係る簡易多機能槽の説明図である。
【図６】同簡易多機能槽の組み立て完成図である。
【図７】同簡易多機能槽の組み立て説明図である。
【図８】（Ａ）は図６における矢視Ｃ−Ｃ断面図、（Ｂ）は図６における矢視Ｄ−Ｄ断面図である。
【発明を実施するための形態】
【００１９】
続いて、添付した図面を参照して本発明を具体化した実施の形態について説明する。
図１〜図３に示すように、本発明の一実施の形態に係る簡易多機能槽１０は、底板部１１と、その周囲に分割して立設され、それぞれ分割側板部の一例であって、対向する第１、第２の長尺板部１２、１３と、対向する第１、第２の短尺板部１４、１５とを有する。この実施の形態では底板部は、長手方向両側から中央に徐々に拡幅する六角形状（多角形状の一例）をしているが、長方形（四角形）又はその他の多角形、円形であってもよい。なお、この簡易多機能槽１０の長手方向の長さは１０００〜１９００ｍｍ、長手方向に直交する幅は５００〜７００ｍｍ、高さは３５０〜５００ｍｍであるが、本発明はこの数字に限定されない。
【００２０】
図３（Ａ）に示すように、第１、第２の長尺板部１２、１３、及び第１の短尺板部１４は、軸心が水平方向を向いた偏平筒状物１２ａ〜１４ａからなって、この偏平筒状物１２ａ〜１４ａは双方向（又は一方）、即ち側方に開口１６〜２０を有し、第１、第２の長尺板部１２、１３の中間部に、仕切り２１、２２を有している。これら偏平筒状物１２ａ〜１４ａの内部には、偏平筒状物１２ａ〜１４ａの内部空間より形状が少し小さい平板保持部材１２ｂ〜１４ｂが開口１６〜２０より出し入れ自在に収納されている。なお、偏平筒状物１２ａ、１３ａは中央で仕切られているので、平板保持部材１２ｂ、１３ｂは偏平筒状物１２ａ、１３ａを略２分割して収納される。偏平筒状物１２ａ〜１４ａの開口１６〜２０にファスナー（ジッパー、面状ファスナー、ホック等）を設けることは自由である。
【００２１】
また、第２の短尺板部１５は図３（Ｂ）に示すように、軸芯が鉛直方向を向いて、上側に開口２４を有する偏平筒状物２５からなって、その両側部が第１、第２の長尺板部１２、１３の長手方向一端側に接合されている。第２の短尺板部１５内には、平板保持部材２６が収納されている。開口２４の方向を除いて、偏平筒状物２５の材質及び構造は第１の短尺板部１４の偏平筒状物１４ａと同一となっている。
この第２の短尺板部１５の下部の取付け口２７には図１に示すように、排水器具２８が設けられている。排水器具２８は中間にストップバルブ２９を有し、ホース３０によって外部に排水できる構造となっている。なお、平板保持部材２６の下部には、取付け口２７を避ける切欠き２６ａが設けられている。
【００２２】
底板部１１、第１、第２の長尺板部１２、１３、第１、第２の短尺板部１４、１５はそれぞれ端部同士が強固に接合されているが、内部に水を入れた場合の強度が十分でないので、補強部材３１〜３８を有している。これらは、面ファスナーを用いて、隣り合う第１、第２の長尺板部１２、１３と第１、第２の短尺板部１４、１５との間を連結している。
【００２３】
また、簡易多機能槽１０内に水（お湯）を入れると、第１、第２の長尺板部１２、１３が上側から開くので、第１、第２の長尺板部１２、１３の上側を拘束ベルト（固定ベルトの一例）３９、４０で保持することもできる。これらの拘束ベルト３９、４０は両端部が面ファスナーを用いて、第１、第２の長尺板部１２、１３に取り外し可能に固定される。
更には、第１、第２の長尺板部１２、１３の上部に、これらの開きを防止するための、ホース止めバンド（補強バンドの一例）４１を、第２の短尺板部１５の上部に開口２４を閉塞する閉塞バント４３、４４を設けることも自由である。
【００２４】
なお、底板部１１及び偏平筒状物１２ａ〜１４ａ、２５は、防水性及び屈曲性を有するシートからなり、具体的には、底板部１１には厚みが５〜１０ｍｍのクロロプレンゴム（多数の独立気泡を有するのがよい、以下同じ）が使用され、偏平筒状物１２ａ〜１４ａ、２５には内層に５〜１０ｍｍ厚のクロロプレンゴムが外層に０．５〜５ｍｍの布が使用され、内部が空間となっている。底板部１１及び第１、第２の長尺板部１２、１３、第１、第２の短尺板部１４、１５の接合は接着剤と必要に応じて縫合又は防水ファスナーによって行われ、簡易多機能槽１０の水漏れを防止している。
また、底板部１１と、第１、第２の長尺板部１２、１３、第１、第２の短尺板部１４、１５とは、偏平筒状物１２ａ〜１４ａ、２５の内側部材（厚板材）で密着接合され、それぞれの外側に筒状物を構成する外側部材（薄板材）が接合（連結）されている。
【００２５】
従って、この簡易多機能槽１０を使用する場合は、ロール状に巻いた、又は適当サイズに折り畳まれた槽本体と、平板保持部材１２ｂ〜１４ｂ、２６を用意し、使用者を底板部１１の中央に寝かせて、第１、第２の長尺板部１２、１３、第１、第２の短尺板部１４、１５を底板部１１の周囲に立設し、偏平筒状部１２ａ〜１４ａ内に横から、偏平筒状部２５内に上から、平板保持部材１２ｂ〜１４ｂ、２６を挿入する。これによって、簡易多機能槽１０の形状が保たれる。
次に、排水器具２８のストップバルブ２９を閉じて、内部に必要なお湯を入れる。お湯を簡易多機能槽１０から抜く場合は、ストップバルブ２９を開いてホース３０から排水することになる。
【００２６】
第１、第２の長尺板部１２、１３、及び第１、第２の短尺板部１４、１５内に収納され、簡易多機能槽１０の形状を保つ平板保持部材１２ｂ〜１４ｂ、２６は、それぞれ第１、第２の長尺板部１２、１３、及び第１、第２の短尺板部１４、１５の偏平筒状物１２ａ〜１４ａ、２５の内寸より少し縦横の寸法が短く、厚さが薄くなるように形成されている。平板保持部材１２ｂ〜１４ｂ、２６の材質としては、厚みが２〜１０ｍｍの耐水性ダンボール材が好適に用いられるが、同程度の厚みのベニアやプラスチック板を用いてもよい。また、平板保持部材２６の材質は耐水性ダンボール材でもよいが、第２の短尺板部１５に排水器具２８の取付け口２７が設けられることを考慮してプラスチック板を用いることが好ましい。
【００２７】
次に、排水手段について説明する。
図４に示すように、排水器具２８の代わりに使用されるサイフォン式の排水手段４５を用いることもできる。排水手段４５は、第２の短尺板部１５の取付け口２７を貫通して設けられた逆Ｕ字状の排水管４６を有している。排水管４６の一端部は、簡易多機能槽１０の内部で底板部１１の上面に近接又は当接するように配置され、その外周に複数の吸い込み口４７が形成されている。また、排水管４６の他端側の排水口４８の高さは底板部１１の上面よりも低く設置されている。これにより、簡易多機能槽を傾けなくても内部に溜められたほとんどの水（お湯）をサイフォンの原理で外部に排出することができる。なお、符号４９は取付け口２７の一部であって排水管４６の外周から水が漏れるのを防止するためのパッキン等を備えた固定フランジである。
【００２８】
次に、本発明の第２の実施の形態に係る簡易多機能槽５０について説明する。
なお、第１の実施の形態に係る簡易多機能槽１０と同様の構成部材には同一の符号を付して説明は省略する。
図５〜図７に示すように、本発明の第２の実施の形態に係る簡易多機能槽５０は、底板部５１と、その長手方向に沿って対向して立設された第１、第２の長尺板部５２、５３（分割側板部の一例）と、底板部５１の長手方向一側に設けられ第１、第２の長尺板部５２、５３それぞれの一側端部にその両端部が接合された第１の短尺板部５４（分割側板部の一例）とを有する。そして、底板部５１、及び第１、第２の長尺板部５２，５３の長手方向他側は開放となって、樋状となった延設部５５（底板部５１の開放端部）、延設部５６、５７（分割側板部の開放端部）を折り曲げることにより、底板部５１の他側に第１の短尺板部５４と対向する第２の短尺板部５８（側板部）を形成することができる。具体的には、延設部５５を立設させ、延設部５６、５７を折り込んで発生した三角帯を隣接する第１の長尺板部５２及び第２の長尺板部５３にそれぞれ重ね合わせる。
なお、この簡易多機能槽５０の形状や寸法は第１の実施の形態に係る簡易多機能槽１０と同様であるが、これに限定されない。
【００２９】
第１、第２の長尺板部５２、５３、及び第１の短尺板部５４は、図８（Ａ）に示すように、簡易多機能槽１０と同様の偏平筒状物５２ａ〜５４ａからなり、その内部に簡易多機能槽１０の平板保持部材１２ｂ〜１４ｂと同様の平板保持部材５２ｂ〜５４ｂが開口１６〜２０より出し入れ自在に収納されている。
また、第２の短尺板部５８は、図８（Ｂ）に示すように、簡易多機能槽１０と同様に、上側に開口５９を有する偏平筒状物６０からなっており、第２の短尺板部５８内には、平板保持部材５２ｂ〜５４ｂと同様の平板保持部材６１が収納されている。図５において、５９ａ〜５９ｅは折り曲げ線である。
【００３０】
平板保持部材６１の下部には、簡易多機能槽１０の平板保持部材２６と同様に切欠き６２が設けられており、第２の短尺板部５８の下部に設けた取付け口６３を利用して、簡易多機能槽１０と同様の排水器具２８（又は排水手段４５）を取付けることができる。
なお、第２の短尺板部５８を組み立て状態から展開すれば、槽内の水を簡単に排出することができるので、屋外で好適に使用することができ、その場合、取付け口６３は省略できる。また、屋外で使用する場合は、排水器具２８を取付ける代わりに、取付け口６３に栓をしてもよい。
なお、その他の構造や使用方法は第１の実施の形態と同様なので、説明を省略する。
【００３１】
第１、第２の実施の形態に係る簡易多機能槽において、偏平筒状物の開口を側方、上方、又は下方に設け、挿入する平板保持部材の挿入長さを変えることによって、簡易多機能槽の長さ又は幅を変えることができる。
【符号の説明】
【００３２】
１０：簡易多機能槽、１１：底板部、１２：第１の長尺板部、１３：第２の長尺板部、１４：第１の短尺板部、１２ａ〜１４ａ：偏平筒状物、１２ｂ〜１４ｂ：平板保持部材、１５：第２の短尺板部、１６〜２０：開口、２１、２２：仕切り、２４：開口、２５：偏平筒状物、２６：平板保持部材、２６ａ：切欠き、２７：取付け口、２８：排水器具、２９：ストップバルブ、３０：ホース、３１〜３８：補強部材、３９、４０：拘束ベルト、４１：ホース止めバンド、４３、４４：閉塞バンド、４５：排水手段、４６：排水管、４７：吸い込み口、４８：排水口、４９：固定フランジ、５０：簡易多機能槽、５１：底板部、５２：第１の長尺板部、５３：第２の長尺板部、５４：第１の短尺板部、５２ａ〜５４ａ：偏平筒状物、５２ｂ〜５４ｂ：平板保持部材、５５〜５７：延設部、５８：第２の短尺板部、５９：開口、５９ａ〜５９ｅ：折り曲げ線、６０：偏平筒状物、６１：平板保持部材、６２：切欠き、６３：取付け口
【手続補正書】
【提出日】平成30年1月17日(2018.1.17)
【手続補正１】
【補正対象書類名】特許請求の範囲
【補正対象項目名】全文
【補正方法】変更
【補正の内容】
【特許請求の範囲】
【請求項１】
底板部１１と、該底板部１１の周囲に連結され、該底板部１１の長手方向に沿って対向して立設された第１、第２の長尺板部１２、１３と、前記底板部１１の長手方向一側及び他側にあって、前記底板部１１と前記第１、第２の長尺板部１２、１３の端部同士を連結する第１、第２の短尺板部１４、１５とを有し、防水性及び屈曲性を有するシートを用いた簡易多機能槽において、
前記底板部１１は長手方向両側から中央に徐々に拡幅する六角形状となって、
１）前記第１、第２の長尺板部１２、１３はそれぞれ中央に仕切り２１、２２を有する偏平筒状物１２ａ、１３ａとなって、側方に開口１６〜１９を有して、内部に平板保持部材１２ｂ、１３ｂが該開口１６〜１９から出し入れ自在に収納され、２）前記第１の短尺板部１４は偏平筒状物１４ａとなって、側方に開口２０を有して内部に平板保持部材１４ｂが該開口２０から出し入れ自在に収納され、３）前記第２の短尺板部１５は上方に開口２４を有する偏平筒状物２５からなって、内部に別の平板保持部材２６が出し入れ自在に収納され、該簡易多機能槽の形状を保ち、
しかも、前記第２の短尺板部１５の下部には、排水器具２８の取付け口２７が形成され、前記別の平板保持部材２６の下部には、前記取付け口２７を避ける切欠き２６ａが設けられ、
かつ、前記底板部１１には厚みが５〜１０ｍｍで多数の独立気泡を有するクロロプレンゴムが使用され、それぞれ前記偏平筒状物１２ａ〜１４ａ、２５からなる前記第１、第２の長尺板部１２、１３及び第１、第２の短尺板部１４、１５の内層には厚みが５〜１０ｍｍで多数の独立気泡を有するクロロプレンゴムが使用され、外層には布が使用されていることを特徴とする簡易多機能槽。
【請求項２】
請求項１記載の簡易多機能槽において、１）隣り合う前記第１の短尺板部１４と前記第１、第２の長尺板部１２、１３とを、並びに２）隣り合う前記第２の短尺板部１５と前記第１、第２の長尺板部１２、１３とをそれぞれ連結補強する面ファスナーを用いた補強部材３１〜３８が設けられていることを特徴とする簡易多機能槽。
【請求項３】
請求項１又は２記載の簡易多機能槽において、対向する前記第１、第２の長尺板部１２、１３の開きを防止する固定ベルト３９、４０が取り外し可能に設けられていることを特徴とする簡易多機能槽。
【請求項４】
請求項１〜３のいずれか１項に記載の簡易多機能槽において、前記排水器具２８の代わりに、吸い込み口４７が前記底板部１１に近接又は当接するサイフォン式の排水手段４５を用いていることを特徴とする簡易多機能槽。
【手続補正２】
【補正対象書類名】明細書
【補正対象項目名】全文
【補正方法】変更
【補正の内容】
【発明の詳細な説明】
【技術分野】
【０００１】
本発明は、例えば、浴槽として使用でき、使用場所で簡単に組み立てることができる簡易多機能槽に関する。
【背景技術】
【０００２】
従来、病院等における患者や要介護者の入浴に用いる浴槽として、特許文献1 には底部材が合成樹脂シートと合成樹脂シートに挟持される硬質板等の芯材から構成され、側板部材が合成樹脂シートと合成樹脂シートに挟持されるベニア板等の芯材から構成される組立式浴槽が提案されている。また、特許文献2 には、防水シート内に芯材を入れて折り畳み式にし、組み立て時は四隅を三角形に整形してマジックテープ（登録商標）で固定する多目的簡易浴槽が記載されている。
【先行技術文献】
【特許文献】
【０００３】
【特許文献１】実公昭６３−１１９５０号公報
【特許文献２】特開２００３−９３４６９号公報
【発明の概要】
【発明が解決しようとする課題】
【０００４】
しかしながら、特許文献１記載の組立式浴槽では、底部材及び側板部材が合成樹脂シートと板状の芯材が一体となって構成されているので、折り畳んでも嵩張って重量物となり、更に組み立て作業及び収納作業も手間がかかるという問題があった。
また、特許文献２記載の多目的簡易浴槽にあっては、コ字状の保持パイプで組み立てたシートを保持しているので、収納時に邪魔になるという問題があった。
更には、特許文献１、２の浴槽においては、使用後の排水を流すことについては考慮されていないという問題があった。
【０００５】
本発明はかかる事情に鑑みてなされたもので、組み立てが容易で、しかも、分解可能で持ち運びも容易な簡易多機能槽を提供することを目的とする。
【課題を解決するための手段】
【０００６】
前記目的に沿う本発明に係る簡易多機能槽は、底板部１１と、該底板部１１の周囲に連結され、該底板部１１の長手方向に沿って対向して立設された第１、第２の長尺板部１２、１３と、前記底板部１１の長手方向一側及び他側にあって、前記底板部１１と前記第１、第２の長尺板部１２、１３の端部同士を連結する第１、第２の短尺板部１４、１５とを有し、防水性及び屈曲性を有するシートを用いた簡易多機能槽において、
前記底板部１１は長手方向両側から中央に徐々に拡幅する六角形状となって、
１）前記第１、第２の長尺板部１２、１３はそれぞれ中央に仕切り２１、２２を有する偏平筒状物１２ａ、１３ａとなって、側方に開口１６〜１９を有して、内部に平板保持部材１２ｂ、１３ｂが該開口１６〜１９から出し入れ自在に収納され、２）前記第１の短尺板部１４は偏平筒状物１４ａとなって、側方に開口２０を有して内部に平板保持部材１４ｂが該開口２０から出し入れ自在に収納され、３）前記第２の短尺板部１５は上方に開口２４を有する偏平筒状物２５からなって、内部に別の平板保持部材２６が出し入れ自在に収納され、該簡易多機能槽の形状を保ち、
しかも、前記第２の短尺板部１５の下部には、排水器具２８の取付け口２７が形成され、前記別の平板保持部材２６の下部には、前記取付け口２７を避ける切欠き２６ａが設けられ、
かつ、前記底板部１１には厚みが５〜１０ｍｍで多数の独立気泡を有するクロロプレンゴムが使用され、それぞれ前記偏平筒状物１２ａ〜１４ａ、２５からなる前記第１、第２の長尺板部１２、１３及び第１、第２の短尺板部１４、１５の内層には厚みが５〜１０ｍｍで多数の独立気泡を有するクロロプレンゴムが使用され、外層には布が使用されている。
ここで、平板保持部材は、ベニア、木材、プラスチック板、耐水性ダンポール材のいずれも使用できる（以下の発明においても同じ）。
【０００７】
また、本発明に係る簡易多機能槽において、１）隣り合う前記第１の短尺板部１４と前記第１、第２の長尺板部１２、１３とを、並びに２）隣り合う前記第２の短尺板部１５と前記第１、第２の長尺板部１２、１３とをそれぞれ連結補強する面ファスナーを用いた補強部材３１〜３８が設けられているのが好ましい。これによって、隣り合う第１の短尺部材と第１、第２の長尺部材、並びに２）隣り合う第２の短尺部材と第１、第２の長尺部材の連結が強くなる。
【０００８】
【０００９】
【００１０】
また、前記第１、第２の長尺板部の偏平筒状物の開口は側方を向いており、前記第１の短尺板部の偏平筒状物の開口は側方を向いており、前記第２の短尺板部の偏平筒状物の開口は上方を向いている。偏平筒状物の開口を側方に向ける場合は、偏平筒状物内に水が溜まり難く、更に、開口が不用意に開くことがない。偏平筒状物の開口を上に向ける場合は、平板保持部材の挿入が容易となるが、水が偏平筒状物（袋）内に溜まり易くなる。下部に排水管等が取り付けられている場合は、平板保持部材の一部を切り抜くことによって挿入が簡単となる。
【００１１】
【００１２】
なお、底板部とその周囲に分割して立設された分割側板部とを有する簡易多機能槽において、
前記底板部は長方形又は中央が拡幅する長板形状となって、前記分割側板部は、前記底板部の長手方向に沿ってかつ対向して配置された第１、第２の長尺板部と、前記底板部の長手方向一側に設けられ前記第１、第２の長尺板部の長手方向一側の端部とそれぞれの端部が接合される第１の短尺板部とを有し、
前記底板部、前記第１、第２の長尺板部及び第１の短尺板部は、防水性及び屈曲性を有するシートからなって、
前記底板部の長手方向他側、及び前記第１、第２の長尺板部の長手方向他側を折り曲げて、前記底板部の他側に設けられた第２の短尺板部とし、かつ、前記第１、第２の長尺板部及び前記第１、第２の短尺板部には、この簡易多機能槽の形状を保つ平板保持部材を出し入れ可能に収納する開口付きの偏平筒状部が設けることもできる。
この簡易多機能槽において、第２の短尺板部を組み立て状態から展開した場合、槽内の水の排出が簡単に行え、屋外での使用に適した簡易多機能槽とすることもできる。
【００１３】
本発明に係る簡易多機能槽において、対向する前記第１、第２の長尺板部１２、１３の開きを防止する固定ベルト３９、４０が取り外し可能に設けられているのが好ましい。
【００１４】
なお、本発明に係る簡易多機能槽において、対向する前記第１、第２の長尺板部の上部には該第１、第２の長尺板部の開きを防止する補強バンドを設けることもできる。これにより、簡易多機能槽の補強を図ることができる。
【００１５】
本発明に係る簡易多機能槽において、前記排水器具２８の代わりに、吸い込み口４７が前記底板部１１に近接又は当接するサイフォン式の排水手段４５を用いているのが好ましい。これによって、簡易多機能槽を傾けなくてもより完全な排水ができる。
【００１６】
【発明の効果】
【００１７】
本発明に係る簡易多機能槽は、底板部の周囲に立設される第１、第２の長尺板部と第１、第２の短尺板部がそれぞれ偏平の筒状となって、かつ、第１、第２の長尺板部と第１の短尺板部を構成する偏平筒状物には側方に開口があり、第２の短尺板部を構成する偏平筒状物には上方に開口があって、これら開口から偏平筒状物内に簡易多機能槽の形状を保つ平板保持部材が収納可能となっているので、組み立てが容易である。また、第１、第２の長尺板部と第１、第２の短尺板部から平板保持部材を除去すると、シート状の部分（以下、「槽本体」という）のみが残るので、コンパクトに収納できる。
【図面の簡単な説明】
【００１８】
【図１】本発明の第１の実施の形態に係る簡易多機能槽の組み立て説明図である。
【図２】同簡易多機能槽の組み立て説明図である。
【図３】（Ａ）は図１における矢視Ａ−Ａ断面図、（Ｂ）は図１における矢視Ｂ−Ｂ断面図である。
【図４】排水手段の説明図である。
【図５】本発明の第２の実施の形態に係る簡易多機能槽の説明図である。
【図６】同簡易多機能槽の組み立て完成図である。
【図７】同簡易多機能槽の組み立て説明図である。
【図８】（Ａ）は図６における矢視Ｃ−Ｃ断面図、（Ｂ）は図６における矢視Ｄ−Ｄ断面図である。
【発明を実施するための形態】
【００１９】
続いて、添付した図面を参照して本発明を具体化した実施の形態について説明する。
図１〜図３に示すように、本発明の一実施の形態に係る簡易多機能槽１０は、底板部１１と、その周囲に分割して立設され、それぞれ分割側板部の一例であって、対向する第１、第２の長尺板部１２、１３と、対向する第１、第２の短尺板部１４、１５とを有する。この実施の形態では底板部は、長手方向両側から中央に徐々に拡幅する六角形状（多角形状の一例）をしているが、長方形（四角形）又はその他の多角形、円形であってもよい。なお、この簡易多機能槽１０の長手方向の長さは１０００〜１９００ｍｍ、長手方向に直交する幅は５００〜７００ｍｍ、高さは３５０〜５００ｍｍであるが、本発明はこの数字に限定されない。
【００２０】
図３（Ａ）に示すように、第１、第２の長尺板部１２、１３、及び第１の短尺板部１４は、軸心が水平方向を向いた偏平筒状物１２ａ〜１４ａからなって、この偏平筒状物１２ａ〜１４ａは双方向（又は一方）、即ち側方に開口１６〜２０を有し、第１、第２の長尺板部１２、１３の中間部に、仕切り２１、２２を有している。これら偏平筒状物１２ａ〜１４ａの内部には、偏平筒状物１２ａ〜１４ａの内部空間より形状が少し小さい平板保持部材１２ｂ〜１４ｂが開口１６〜２０より出し入れ自在に収納されている。なお、偏平筒状物１２ａ、１３ａは中央で仕切られているので、平板保持部材１２ｂ、１３ｂは偏平筒状物１２ａ、１３ａを略２分割して収納される。偏平筒状物１２ａ〜１４ａの開口１６〜２０にファスナー（ジッパー、面状ファスナー、ホック等）を設けることは自由である。
【００２１】
また、第２の短尺板部１５は図３（Ｂ）に示すように、軸芯が鉛直方向を向いて、上側に開口２４を有する偏平筒状物２５からなって、その両側部が第１、第２の長尺板部１２、１３の長手方向一端側に接合されている。第２の短尺板部１５内には、平板保持部材２６が収納されている。開口２４の方向を除いて、偏平筒状物２５の材質及び構造は第１の短尺板部１４の偏平筒状物１４ａと同一となっている。
この第２の短尺板部１５の下部の取付け口２７には図１に示すように、排水器具２８が設けられている。排水器具２８は中間にストップバルブ２９を有し、ホース３０によって外部に排水できる構造となっている。なお、平板保持部材２６の下部には、取付け口２７を避ける切欠き２６ａが設けられている。
【００２２】
底板部１１、第１、第２の長尺板部１２、１３、第１、第２の短尺板部１４、１５はそれぞれ端部同士が強固に接合されているが、内部に水を入れた場合の強度が十分でないので、補強部材３１〜３８を有している。これらは、面ファスナーを用いて、隣り合う第１、第２の長尺板部１２、１３と第１、第２の短尺板部１４、１５との間を連結している。
【００２３】
また、簡易多機能槽１０内に水（お湯）を入れると、第１、第２の長尺板部１２、１３が上側から開くので、第１、第２の長尺板部１２、１３の上側を拘束ベルト（固定ベルトの一例）３９、４０で保持することもできる。これらの拘束ベルト３９、４０は両端部が面ファスナーを用いて、第１、第２の長尺板部１２、１３に取り外し可能に固定される。
更には、第１、第２の長尺板部１２、１３の上部に、これらの開きを防止するための、ホース止めバンド（補強バンドの一例）４１を、第２の短尺板部１５の上部に開口２４を閉塞する閉塞バント４３、４４を設けることも自由である。
【００２４】
なお、底板部１１及び偏平筒状物１２ａ〜１４ａ、２５は、防水性及び屈曲性を有するシートからなり、具体的には、底板部１１には厚みが５〜１０ｍｍのクロロプレンゴム（多数の独立気泡を有するのがよい、以下同じ）が使用され、偏平筒状物１２ａ〜１４ａ、２５には内層に５〜１０ｍｍ厚のクロロプレンゴムが外層に０．５〜５ｍｍの布が使用され、内部が空間となっている。底板部１１及び第１、第２の長尺板部１２、１３、第１、第２の短尺板部１４、１５の接合は接着剤と必要に応じて縫合又は防水ファスナーによって行われ、簡易多機能槽１０の水漏れを防止している。
また、底板部１１と、第１、第２の長尺板部１２、１３、第１、第２の短尺板部１４、１５とは、偏平筒状物１２ａ〜１４ａ、２５の内側部材（厚板材）で密着接合され、それぞれの外側に筒状物を構成する外側部材（薄板材）が接合（連結）されている。
【００２５】
従って、この簡易多機能槽１０を使用する場合は、ロール状に巻いた、又は適当サイズに折り畳まれた槽本体と、平板保持部材１２ｂ〜１４ｂ、２６を用意し、使用者を底板部１１の中央に寝かせて、第１、第２の長尺板部１２、１３、第１、第２の短尺板部１４、１５を底板部１１の周囲に立設し、偏平筒状部１２ａ〜１４ａ内に横から、偏平筒状部２５内に上から、平板保持部材１２ｂ〜１４ｂ、２６を挿入する。これによって、簡易多機能槽１０の形状が保たれる。
次に、排水器具２８のストップバルブ２９を閉じて、内部に必要なお湯を入れる。お湯を簡易多機能槽１０から抜く場合は、ストップバルブ２９を開いてホース３０から排水することになる。
【００２６】
第１、第２の長尺板部１２、１３、及び第１、第２の短尺板部１４、１５内に収納され、簡易多機能槽１０の形状を保つ平板保持部材１２ｂ〜１４ｂ、２６は、それぞれ第１、第２の長尺板部１２、１３、及び第１、第２の短尺板部１４、１５の偏平筒状物１２ａ〜１４ａ、２５の内寸より少し縦横の寸法が短く、厚さが薄くなるように形成されている。平板保持部材１２ｂ〜１４ｂ、２６の材質としては、厚みが２〜１０ｍｍの耐水性ダンボール材が好適に用いられるが、同程度の厚みのベニアやプラスチック板を用いてもよい。また、平板保持部材２６の材質は耐水性ダンボール材でもよいが、第２の短尺板部１５に排水器具２８の取付け口２７が設けられることを考慮してプラスチック板を用いることが好ましい。
【００２７】
次に、排水手段について説明する。
図４に示すように、排水器具２８の代わりに使用されるサイフォン式の排水手段４５を用いることもできる。排水手段４５は、第２の短尺板部１５の取付け口２７を貫通して設けられた逆Ｕ字状の排水管４６を有している。排水管４６の一端部は、簡易多機能槽１０の内部で底板部１１の上面に近接又は当接するように配置され、その外周に複数の吸い込み口４７が形成されている。また、排水管４６の他端側の排水口４８の高さは底板部１１の上面よりも低く設置されている。これにより、簡易多機能槽を傾けなくても内部に溜められたほとんどの水（お湯）をサイフォンの原理で外部に排出することができる。なお、符号４９は取付け口２７の一部であって排水管４６の外周から水が漏れるのを防止するためのパッキン等を備えた固定フランジである。
【００２８】
次に、本発明の第２の実施の形態に係る簡易多機能槽５０について説明する。
なお、第１の実施の形態に係る簡易多機能槽１０と同様の構成部材には同一の符号を付して説明は省略する。
図５〜図７に示すように、本発明の第２の実施の形態に係る簡易多機能槽５０は、底板部５１と、その長手方向に沿って対向して立設された第１、第２の長尺板部５２、５３（分割側板部の一例）と、底板部５１の長手方向一側に設けられ第１、第２の長尺板部５２、５３それぞれの一側端部にその両端部が接合された第１の短尺板部５４（分割側板部の一例）とを有する。そして、底板部５１、及び第１、第２の長尺板部５２，５３の長手方向他側は開放となって、樋状となった延設部５５（底板部５１の開放端部）、延設部５６、５７（分割側板部の開放端部）を折り曲げることにより、底板部５１の他側に第１の短尺板部５４と対向する第２の短尺板部５８（側板部）を形成することができる。具体的には、延設部５５を立設させ、延設部５６、５７を折り込んで発生した三角帯を隣接する第１の長尺板部５２及び第２の長尺板部５３にそれぞれ重ね合わせる。
なお、この簡易多機能槽５０の形状や寸法は第１の実施の形態に係る簡易多機能槽１０と同様であるが、これに限定されない。
【００２９】
第１、第２の長尺板部５２、５３、及び第１の短尺板部５４は、図８（Ａ）に示すように、簡易多機能槽１０と同様の偏平筒状物５２ａ〜５４ａからなり、その内部に簡易多機能槽１０の平板保持部材１２ｂ〜１４ｂと同様の平板保持部材５２ｂ〜５４ｂが開口１６〜２０より出し入れ自在に収納されている。
また、第２の短尺板部５８は、図８（Ｂ）に示すように、簡易多機能槽１０と同様に、上側に開口５９を有する偏平筒状物６０からなっており、第２の短尺板部５８内には、平板保持部材５２ｂ〜５４ｂと同様の平板保持部材６１が収納されている。図５において、５９ａ〜５９ｅは折り曲げ線である。
【００３０】
平板保持部材６１の下部には、簡易多機能槽１０の平板保持部材２６と同様に切欠き６２が設けられており、第２の短尺板部５８の下部に設けた取付け口６３を利用して、簡易多機能槽１０と同様の排水器具２８（又は排水手段４５）を取付けることができる。
なお、第２の短尺板部５８を組み立て状態から展開すれば、槽内の水を簡単に排出することができるので、屋外で好適に使用することができ、その場合、取付け口６３は省略できる。また、屋外で使用する場合は、排水器具２８を取付ける代わりに、取付け口６３に栓をしてもよい。
なお、その他の構造や使用方法は第１の実施の形態と同様なので、説明を省略する。
【００３１】
第１、第２の実施の形態に係る簡易多機能槽において、偏平筒状物の開口を側方、上方、又は下方に設け、挿入する平板保持部材の挿入長さを変えることによって、簡易多機能槽の長さ又は幅を変えることができる。
【符号の説明】
【００３２】
１０：簡易多機能槽、１１：底板部、１２：第１の長尺板部、１３：第２の長尺板部、１４：第１の短尺板部、１２ａ〜１４ａ：偏平筒状物、１２ｂ〜１４ｂ：平板保持部材、１５：第２の短尺板部、１６〜２０：開口、２１、２２：仕切り、２４：開口、２５：偏平筒状物、２６：平板保持部材、２６ａ：切欠き、２７：取付け口、２８：排水器具、２９：ストップバルブ、３０：ホース、３１〜３８：補強部材、３９、４０：拘束ベルト、４１：ホース止めバンド、４３、４４：閉塞バンド、４５：排水手段、４６：排水管、４７：吸い込み口、４８：排水口、４９：固定フランジ、５０：簡易多機能槽、５１：底板部、５２：第１の長尺板部、５３：第２の長尺板部、５４：第１の短尺板部、５２ａ〜５４ａ：偏平筒状物、５２ｂ〜５４ｂ：平板保持部材、５５〜５７：延設部、５８：第２の短尺板部、５９：開口、５９ａ〜５９ｅ：折り曲げ線、６０：偏平筒状物、６１：平板保持部材、６２：切欠き、６３：取付け口